(57)【要約】【課題】浴室天井の乾燥を効率よく行う浴室乾燥機の提供。【解決手段】この浴室乾燥機２は、浴室１内の空気を吸い込む吸込口１１と、吸込口１１から吸い込んだ空気を浴室外へ排出する排気口５と、浴室１内に空気を吹き出す吹出口１２とを備え、吸込口１１から吸い込んだ浴室１内の空気を排気口５から浴室外へ排気すると共に、吹出口１２から浴室１内に空気を吹き出して、浴室１内の床面若しくは壁面を乾燥させる浴室乾燥機であって、吹出口１２は、吸込口１１以外の浴室天井８に沿う方向、若しくは複数の方向に吹き出すように構成されている。【選択図】  図１
2005345068.tif 000002
【特許請求の範囲】
【請求項１】
浴室内の空気を吸い込む吸込口と、該吸込口から吸い込んだ空気を浴室外へ排出する排気口と、浴室内に空気を吹き出す吹出口とを備え、前記吸込口から吸い込んだ前記浴室内の空気を前記排気口から浴室外へ排気すると共に、前記吹出口から前記浴室内に空気を吹き出して、前記浴室内の壁面を乾燥させる浴室乾燥機であって、
前記吹出口は、前記吸込口以外の天井に沿う方向、若しくは複数の方向に吹き出すように開口していることを特徴とする浴室乾燥機。
【請求項２】
請求項１の浴室乾燥機において、
前記吹出口は、浴室天井面に沿った方向及び床面に向けて吹き出すように開口していることを特徴とする浴室乾燥機。
【請求項３】
請求項１、２の何れかの浴室乾燥機において、
前記吹出口には、前記天井に沿った方向と、前記浴室の床面方向とに組み合わせて吹き出すように、空気の吹出方向を切換可能な切換機構を備えていることを特徴とする浴室乾燥機。
【請求項４】
請求項１乃至請求項３の何れかの浴室乾燥機において、
前記浴室内に吹き出す空気を加熱する加熱手段と、前記浴室を暖める暖房モード、衣類を乾燥する衣類乾燥モード、浴室壁面の乾燥を行う浴室乾燥モード等の運転モードに応じて該加熱手段を制御する制御手段とを備えていることを特徴とする浴室乾燥機。
【請求項５】
請求項３の浴室乾燥機において、
前記浴室内に吹き出す空気を加熱する加熱手段と、前記浴室を暖める暖房モード、衣類を乾燥する衣類乾燥モード、浴室壁面の乾燥を行う浴室乾燥モード等の運転モードに応じて該加熱手段を制御する制御手段とを備え、
該制御手段は、前記運転モードに応じて前記切換機構を切換操作することを特徴とする浴室乾燥機。
【請求項６】
請求項５の浴室乾燥機において、
前記制御手段は、前記暖房モードにおいて前記浴室床面に吹き出し、前記浴室乾燥モードにおいて前記浴室床面又は前記浴室天井の少なくとも何れかに吹き出すように制御することを特徴とする浴室乾燥機。
【請求項７】
請求項１乃至請求項６の何れかの浴室乾燥機において、
前記吸込口のほかに、前記浴室以外から空気を吸い込む他室吸込口を設け、該他室吸込口から吸い込んだ空気を前記吹出口より前記浴室内に吹き出すようにしたことを特徴とする浴室乾燥機。
【請求項８】
請求項７の浴室乾燥機において、
前記他室吸込口から前記吹出口までの風路に開閉可能な開閉手段を設けたことを特徴とする浴室乾燥機。
【請求項９】
請求項８の浴室乾燥機において、
前記他室吸込口から前記吹出口に給気する給気量と、前記吸込口から吸い込んだ空気を浴室外へ排出する排出量と、等量若しくは排出量が多くなる風量に設定可能であることを特徴とする浴室乾燥機。
【発明の詳細な説明】
【技術分野】
【０００１】
本発明は浴室内の壁面等を乾燥可能な浴室乾燥機に関する。
【背景技術】
【０００２】
通常、浴室の天井では、浴槽の水面から蒸発する水分が天井等で結露して水滴になることがあり、このような水滴が適正に乾燥されないと、浴室天井等にカビが発生するという不具合がある。このような浴室乾燥のために、浴室換気扇や浴室乾燥機が市販されている。特に、後述する特許文献１の浴室乾燥暖房装置では、遠赤外線ヒータを備え、浴室内の空気を暖めて空気を乾燥させるようにしている。
【特許文献１】特開２００２−３３３１５３号公報
【発明の開示】
【発明が解決しようとする課題】
【０００３】
しかし、浴室の戸のガラリから換気扇までの風路が出来てしまい、浴室天井や天井の隅角部等は乾燥しにくく、カビの発生原因となっている。
【０００４】
また、短時間乾燥を目的に換気量を増加させると、ガラリの開口面積が小さいので、圧力損失が大きいため、浴室の戸が開いてしまうと言う問題がある。
【０００５】
さらに、浴室内の空気を循環させる場合に床面に吹き出す構造では、天井の乾燥には時間がかかるのが現状である。
【０００６】
本願発明は、このような課題に着目してなされたものであり、浴室天井等の乾燥を短時間に行いつつ、乾燥運転時に浴室の戸が開いてしまうという不具合を解消可能な浴室乾燥機を提供することを目的とする。
【課題を解決するための手段】
【０００７】
本願の第１の浴室乾燥機は、浴室内の空気を吸い込む吸込口と、該吸込口から吸い込んだ空気を浴室外へ排出する排気口と、浴室内に空気を吹き出す吹出口とを備え、前記吸込口から吸い込んだ前記浴室内の空気を前記排気口から浴室外へ排気すると共に、前記吹出口から前記浴室内に空気を吹き出して、前記浴室内の壁面（浴室の側壁面のみでなく浴室の天井面や床面を含む）を乾燥させる浴室乾燥機であって、前記吹出口は、前記吸込口以外の天井に沿う方向、若しくは複数の方向に吹き出すように開口していることを特徴とする。
【０００８】
本願の第２の浴室乾燥機は、請求項１の浴室乾燥機において、前記吹出口は、浴室天井面に沿った方向及び床面に向けて吹き出すように開口していることを特徴とする。
【０００９】
本願の第３の浴室乾燥機は、請求項１、２の何れかの浴室乾燥機において、前記吹出口には、前記天井に沿った方向と、前記浴室の床面方向とに組み合わせて吹き出すように、空気の吹出方向を切換可能な切換機構を備えていることを特徴とする。
【００１０】
本願の第４の浴室乾燥機は、請求項１乃至請求項３の何れかの浴室乾燥機において、前記浴室内に吹き出す空気を加熱する加熱手段と、前記浴室を暖める暖房モード、衣類を乾燥する衣類乾燥モード、浴室壁面の乾燥を行う浴室乾燥モード等の運転モードに応じて該加熱手段を制御する制御手段とを備えていることを特徴とする。
【００１１】
本願の第５の浴室乾燥機は、請求項３の浴室乾燥機において、前記浴室内に吹き出す空気を加熱する加熱手段と、前記浴室を暖める暖房モード、衣類を乾燥する衣類乾燥モード、浴室壁面の乾燥を行う浴室乾燥モード等の運転モードに応じて該加熱手段を制御する制御手段とを備え、該制御手段は、前記運転モードに応じて前記切換機構を切換操作することを特徴とする。
【００１２】
本願の第６の浴室乾燥機は、請求項５の浴室乾燥機において、前記制御手段は、前記暖房モードにおいて前記浴室床面に吹き出し、前記浴室乾燥モードにおいて前記浴室床面又は前記浴室天井の少なくとも何れかに吹き出すように制御することを特徴とする。
【００１３】
本願の第７の浴室乾燥機は、請求項１乃至請求項６の何れかの浴室乾燥機において、前記吸込口のほかに、前記浴室以外から空気を吸い込む他室吸込口を設け、該他室吸込口から吸い込んだ空気を前記吹出口より前記浴室内に吹き出すようにしたことを特徴とする。
【００１４】
本願の第８の浴室乾燥機は、請求項７の浴室乾燥機において、前記他室吸込口から前記吹出口までの風路に開閉可能な開閉手段を設けたことを特徴とする。
【００１５】
本願の第９の浴室乾燥機は、請求項８の浴室乾燥機において、前記他室吸込口から前記吹出口に給気する給気量と、前記吸込口から吸い込んだ空気を浴室外へ排出する排出量と、等量若しくは排出量が多くなる風量に設定したことを特徴とする。
【発明の効果】
【００１６】
本願の第１の浴室乾燥機によれば、吹出口は、前記吸込口以外の天井に沿う方向、若しくは複数の方向に吹き出すように開口しているので、浴室天井或いは浴室の側壁や床面等を乾燥できる。
【００１７】
本願の第２の浴室乾燥機によれば、浴室天井や床面を乾燥できる。
【００１８】
本願の第３の浴室乾燥機によれば、空気の吹出方向を切換可能な切換機構により、所望の方向に空気を送ることで、所望の部位の乾燥を行うことができる。
【００１９】
本願の第４の浴室乾燥機によれば、制御手段により運転モードに応じて加熱手段を制御して、暖房や、衣類乾燥、或いは、浴室乾燥を自動的に制御できる。
【００２０】
本願の第５の浴室乾燥機によれば、制御手段により切換機構を制御してモードに応じて吹き出し方向を変えることができる。
【００２１】
本願の第６の浴室乾燥機によれば、暖房時に入浴者を暖めることでき、浴室乾燥時には浴室床面又は浴室天井の少なくとも何れかに向かって空気を吹き出すことで乾燥を早めることができる。
【００２２】
本願の第７の浴室乾燥機によれば、例えば脱衣場などの他室吸込口から吸い込んだ空気を浴室内に送風するので、ガラリから多量の空気を吸い込むことを防止でき、浴室の乾燥中に浴室のドアが開くことが防止される。
【００２３】
本願の第８の浴室乾燥機によれば、開閉手段により他室吸込口から吸い込む空気を制御することで、浴室内と他室内から吸い込む空気の風量配分を暖房、乾燥等の各運転モードに適したものにすることができ、浴室乾燥モードを含めた各運転モードを効率的に行うことができる。また、暖房運転時に浴室内の湿った空気が他室に流れ込むことを制御できる。
【００２４】
本願の第９の浴室乾燥機によれば、浴室内への給気量より浴室から浴室外に排出する排出量が多くなるように、風量を制御することで、浴室内を乾燥させつつ、浴室内の湿った空気がより速く排気されることとなると共に、浴室内の空気が他室に流れ込むことを防止できる。
【発明を実施するための最良の形態】
【００２５】
以下、本発明の実施の形態にかかる浴室乾燥機を図面に基づいて説明する。
【００２６】
図１は浴室１の天井部に浴室乾燥機２が設置されている状態を示す図であり、３は浴槽である。この浴室乾燥機２は、図１（ｃ）に示すように、浴室１内の空気を吸い込む吸込口４と、吸込口４から吸い込んだ空気を浴室１外へ排出する排気口５と、浴室１内に空気を吹き出す吹出口６とを備え、吸込口４から吸い込んだ浴室１内の空気を排気口５から浴室１外へ排気すると共に、吹出口６から浴室１内に空気を吹き出して、浴室１内の洗い場３Ｂの床面７若しくは浴室天井８或いは浴室１の側壁９を乾燥させるものである。
【００２７】
浴室乾燥機２の下面にはフロントパネル１０が設けられている。フロントパネル１０には、浴室１内の空気を吸い込む吸込口１１と、吹出口６から浴室１内に吹き出される空気を浴室天井８に沿って、フロントパネル１０の側面に形成し、浴室天井に沿って３方向に吹き出す３つの吹出口１２とが設けられている。
【００２８】
吹出口１２は、吸込口１１を除いた３方向に向かって開放されており、吹出口１２から吹き出される空気が、吸込口１１を除いて浴室天井８に沿うように水平方向に吹き出されるように、開口されている。フロントパネル１０の吹出口１２の浴室乾燥機２側の裏面は図示しないリブや仕切壁によって吹出口６に通じている。この吹出口６の上部にはダンパー１３が設置されており、ダンパー１３の傾斜角度によって、吹出口６から空気が吹き出したり、排気口５から空気が排出されるようになっており、ダンパー１３は傾斜角度が中間の状態になる場合に、排気口５及び吹出口６の両方から空気を通過させることが出来るようになっている。
【００２９】
尚、３つの吹出口１２は、連通しているような構造でも良く、実質的に吸込口１１以外の方向に吹き出される構造であればよい。浴室乾燥機２は図１、２に示すように浴室側方部に設けられた浴槽３の上方に設けられ、吸込口１１は浴室壁面に近い位置に設けられている。吹出口１２を吸込口１１方向に設けた構造にすると、複数の吹出口１２により、天井面に沿った３方向に吹き出された空気が、吹き出す３方向以外の方向に設けられた吸込口１１に戻されるように空気が循環されるようになる。このため、吹き出す風量をこの３方向に分配でき、風速を上げて、浴室の壁面に空気を吹き出すことにより、モーター容量やファンの形状を大きくしなくても、効率的な浴室乾燥を行える。
【００３０】
図１２は浴室乾燥機２の構成を示している。浴室乾燥機２のケース２Ａにはモーター１４が備えられており、モーター１４の回転軸にシロッコファン１５が取り付けられている。シロッコファン１５の周囲には、シロッコファン１５の内側から空気を吸い込んでシロッコファン１５の側方から空気をはき出すためのファンケース１６が設けられている。ファンケース１６の空気導入口１７は、吸込口４に臨んで開口している。ファンケース１６の空気を排出する部位はダンパー１３の配設室１８に臨んでいる。配設室１８は吹出口６と排気口５との両者に連通しており、ダンパー１３の上下方向の傾斜角度により、シロッコファン１５の排出空気を吹出口６又は排気口５から排出するように、調整する。ダンパー１３の傾斜角度は、図示しないモーター、ギア機構及びリンク機構を介してモーターの回転停止角で調整される。
【００３１】
浴室乾燥機２は、図１３に示すように、浴室天井８に設置され、排気口５はダクト５Ａを介して建物の外部に通じている。浴室１のドア３Ｄの下方には空気流通口であるガラリ３Ａが形成されており、浴室乾燥機２が空気を吸い込むと、ガラリ３Ａを通して脱衣室Ｒ１の空気が浴室１に導入されて排気口５から建物外に排出される。勿論、ダンパー１３を吹出口６から空気を吹き出すように傾斜させると、フロントパネル１０の吹出口１２から浴室天井８に沿って３方向に吹き出され、浴室天井８の乾燥が行われる。また、浴室乾燥機２の制御は脱衣室Ｒ１の壁面に設けたリモートコントロールパネル１９のボタン操作により設定され、浴室乾燥機２の内部に設けられたマイコンにより制御される。２０は浴室乾燥機２に接続される電灯線である。
【００３２】
図２（ａ）（ｂ）の浴室乾燥機２は、フロントパネル２１の吸込口２２及び吹出口２３の配置形状が図１のものと異なっているが、吸込口２２が浴室乾燥機２４の長手方向に延びていること、吹出口２３が吸込口２２を除いた３方向に向かって浴室天井８に沿う方向に開口していること、並びに、シロッコファン１５の下方にファンケース１６が設置され、ファンケース１６の空気導入口１７の下方が吸込口４とされ、ファンケース１６の排出空気は排気口５から排気される構成、並びに、図示しないダンパーによりファンケース１６の排出空気が排気口５又は吹出口２３に案内される構成は、図１と同様である。
【００３３】
図３（ａ）（ｂ）の浴室乾燥機３０は、図１４に示すように設置されている。図３（ａ）（ｂ）の浴室乾燥機３０は、ケース３１の内部に２つのモーターＭ１、Ｍ２が上下に設置されており、モーターＭ１、Ｍ２の回転軸にはシロッコファンＦ１、Ｆ２が取り付けられている。シロッコファンＦ１、Ｆ２の配設空間は水平な壁によって仕切られており、シロッコファンＦ１、Ｆ２によって空気が吸い込まれる場所や空気が排出される場所が異なる。シロッコファンＦ１は脱衣室Ｒ１等の他室又は浴室１からの空気を吸い込んで再度浴室１に供給するファンであり、シロッコファンＦ２は浴室１から吸い込んだ空気を排気口３４から建物外部に排出するファンである。尚、この実施の形態では、脱衣室とは脱衣所や洗面所を含むものとして用いている。
【００３４】
図３（ａ）の浴室乾燥機３０において、３２は浴室の空気を吸い込む吸込口、３３は他の部屋から空気を吸い込む他室吸込口、３４は吸い込んだ空気を建物外部に排出する排気口、３５は吸い込んだ空気を浴室１に送風する吹出口、３６は浴室１の空気を吸い込む循環吸込口、３７はダンパーである。図３（ａ）は浴室から浴室乾燥機３０を見上げた状態であり、循環吸込口３６の奥側にダンパー３７が配置され、循環吸込口３６を閉鎖した状態となり、他室吸込口３３を開いて、他室に連通した状態となっている。
【００３５】
ダンパー３７は、他室吸込口３３から吸い込まれる空気の吸込量と、循環吸込口３６から吸い込まれる空気の吸込量とを制御するためのものであり、図示しないモーター及びギア機構等により傾斜角度を制御される。ダンパー３７の揺動軸は、浴室乾燥機３０の下部に設置されており、他室吸込口３３と循環吸込口３６の風路の風量を調整する。また、このダンパー３７は、他室吸込口３３と浴室の空気を吸い込む吸込口３２とを吸い込む部位を単に切り換える単純な開閉ダンパーであっても良い。
【００３６】
すなわち、図１４に示すように、浴室１の天井に浴室乾燥機３０を設置すると、脱衣室Ｒ１から空気を吸い込んだ後に、建物の外部に排気したり、浴室１内部に吹き出して給気したりすることができる。浴室乾燥機３０の他室吸込口３３はダクト３８を介して脱衣室Ｒ１に通じており、ダクト３８の端部が脱衣室Ｒ１の天井に開口している。脱衣室Ｒ１の浴室１への出入口の戸３９には脱衣室Ｒ１から浴室１側に空気を導入するガラリ４０が開口されている。浴室乾燥機３０の吹出口３５から浴室１の洗い場３Ｂ側に空気を吹き出すことで洗い場３Ｂに涼風を送ったり、洗い場３Ｂの床面７を乾燥させることができる。
【００３７】
図１５乃至図１９は浴室乾燥機３０の構成を示す。図１５乃至図１９の浴室乾燥機３０において、３２は浴室１の空気を吸い込む吸込口、３３は他の部屋から空気を吸い込む他室吸込口、３４は吸い込んだ空気を建物外部に排出する排気口、３５は吸い込んだ空気を浴室１に送風する吹出口、３６は浴室１の空気を吸い込む循環吸込口、３７はダンパーである。この浴室乾燥機３０の吹出口３５には暖房用或いは乾燥用のヒーターが設けられている。尚、暖房用或いは乾燥用のヒータを備えていない場合でも良いのは勿論である。
【００３８】
ケース３１内部の空気を通過させる風路は、浴室１又は脱衣室Ｒ１から空気を吸い込んで浴室１に供給・給気する循環風路ＲＲ（図１５、図１６参照）と、浴室１から吸い込んだ空気を排気口３４から建物外部に排出する排気風路ＥＲ（図１５、図１６参照）とを有する。循環風路ＲＲと排気風路ＥＲとは仕切壁４１（図１５参照）によって仕切られており、仕切壁４１の下部が排気風路ＥＲとされ、仕切壁４１の上部が循環風路ＲＲとされている。
【００３９】
仕切壁４１にはモーター４２が設置され、モーター４２の回転軸にシロッコファンＦ２が固定されている。シロッコファンＦ２の周囲はファンケース４３によって覆われており、ファンケース４３の空気吸込口４３Ａはケース３１の吸込口３２（図１９参照）に臨んで開口している。ファンケース４３の空気の吹出口は排気口３４（図１９参照）に接続されている。
【００４０】
従って、シロッコファンＦ２が回転すると、ファンケース４３の吸込口４３Ａと、ケース３１の吸込口３２から空気を吸い込む。吸い込まれた空気は、ファンケース４３内部を通って排気口３４から図示しないダクトを経由して建物外部に排気される。
【００４１】
仕切壁４１の上方であって、ケース３１の上部壁５９にはモーター４４が設置され、モーター４４の回転軸にシロッコファンＦ１が固定されている。
【００４２】
循環風路ＲＲは循環吸込口３６（図１９参照）と他室吸込口３３（図１９参照）の両者に接続されており、循環吸込口３６と他室吸込口３３はダンパー３７（図１５参照）により空気の吸い込む場所を切り換えることが出来るようになっている。ダンパー３７は図示しないモーター及びギア機構などの動力伝達機構により揺動する。
【００４３】
ダンパー３７の揺動中心は、循環吸込口３６と他室吸込口３３とが合流する部位であって空気の流れの上流側に設置され、ダンパー３７の自由端部は循環吸込口３６と他室吸込口３３側の下流側に向けられている。ダンパー３７はその揺動角度を変えることで、循環吸込口３６若しくは他室吸込口３３の何れか一方からの空気の吸い込む場所を変更したり、両方から空気を吸い込む風量比を調整可能とされている。
【００４４】
図１５、図１６に示すように、シロッコファンＦ１の回りは、ファンケース４５によって覆われており、ファンケース４５の空気吸込口４５Ａは循環風路ＲＲに臨んでいる。ファンケース４５の空気を吹き出す部位は、空気を浴室１に送風する吹出口３５に臨んでいる。
【００４５】
浴室乾燥機３０の浴室側の面には、図４に示すフロントパネル４６が取り付けられる。図５は図１５、図１６の吸込口３２と循環吸込口３６と吹出口３５との配置状態が変えられて吸込口３２が細長く形成された場合のフロントパネル４６を示すが、図５のフロントパネル４６は、開口部の配置状態以外の動作は、図４のフロントパネル４６の動作と同じであるので、図４のフロントパネル４６の動作説明を援用する。
【００４６】
フロントパネル４６には、浴室空気を吸い込む吸込口４７と、浴室１又は脱衣所からの空気を浴室１に送風する吹出口４８と、浴室１内の空気を循環式に吸い込む循環吸込口４９とが開口されている。吸込口４７は、浴室乾燥機３０の吸込口３２に臨むように形成されている。吹出口４８は、浴室乾燥機３０の吹出口３５に臨むように形成されている。循環吸込口４９は、浴室乾燥機３０の循環吸込口３６に臨むように形成されている。吸込口４７、吹出口４８、循環吸込口４９はそれぞれリブや仕切壁などで空気が混じり合わないように仕切られている。
【００４７】
吹出口４８には、図６乃至図８に示す切換機構５０が設けられている。切換機構５０は、吹出口４８の開口縁部に固定される固定ガイド板５１と、平行リンクＬ１により固定ガイド板５１と結合される可動ガイド板５２と、可動ガイド板５２を駆動する遮蔽板５３とを備えている。
【００４８】
固定ガイド板５１は傾斜したガイドフィン５１Ａを多数備えており、ガイドフィン５１Ａ間には空気を通す隙間が設けられている。ガイドフィン５１Ａは、吹出口４８から浴室１内部に吹き出される空気を斜め方向に案内し、浴室乾燥機３０を浴槽の上部に設置したときに、洗い場の床面に空気を吹き出すように案内する。
【００４９】
可動ガイド板５２は、遮蔽板５３との結合部位側を除く３方向の周縁部に「コ」の字の平面形状の平板部５２Ａを有しており、平板部５２Ａの内側に傾斜したガイドフィン５２Ｂを多数備えている。ガイドフィン５２Ｂ間には空気を通す隙間が設けられ、ガイドフィン５２Ｂは、固定ガイド板５１から浴室１内部に吹き出される空気を斜め方向に案内し、浴室乾燥機３０を浴槽の上部に設置したときに、洗い場３Ｂの床面７に空気を吹き出すことができるようになっている。
【００５０】
平板部５２Ａは、浴室天井８の平面に沿って略水平に空気を送るためのものである。平板部５２Ａは、浴室天井８の平面に沿って空気を供給するので、浴室天井８に結露する水滴の蒸発能力が高められている。更に、浴室天井８は浴室の側壁面と交差するので、浴室天井８に沿って流れる空気は浴室の側壁面に沿って流れることとなる。このため、浴室の側壁面も乾燥することとなる。
【００５１】
図１９の吹出口３５には、乾燥のためのＰＴＣヒータ（図示省略）若しくは暖房用ヒータが設置されているので一層乾燥効果が高められることとなる。しかも、脱衣室Ｒ１から空気を吸引する場合には、脱衣室Ｒ１の空気も脱衣所の扉と床面との間から建物全体から吸い込まれてくるので、浴室１の空気よりも乾燥しており、乾燥効果が高いこととなる。
【００５２】
遮蔽板５３の一端部は、フロントパネル４６の図示しない開口部に支持されており、遮蔽板５３の他端部は可動ガイド板５２の片方の側端部に軸止されている。図９（ａ）（ｂ）（ｃ）はフロントパネル４６の裏面側（浴室乾燥機３０の本体側）に設けられる遮蔽板５３及び可動ガイド板５２の駆動機構の一例を示したものである。図９（ａ）では、遮蔽板５３の一端部にラック５４がスライド可能に軸止されている。ラック５４はフロントパネル４６の裏面側において軸方向にスライド可能に取り付けられている。また、フロントパネル４６の裏面側には、回転軸にピニオン５５を取り付けた可動ガイド板用のモータ（図示省略）が取り付けられている。可動ガイド板用のモーターは、図１３のリモートコントローラ１９（操作制御手段）のボタン操作が乾燥モードを指定する時に、可動ガイド板５２を固定ガイド板５１から分離するように、ピニオン５５を回転させる。すなわち、遮蔽板５３を浴室天井８から起こす方向にピニオン５５を回してラック５４を移動させ、遮蔽板５３のフロントパネル４６の下面に対する傾斜角度を拡大する。５３Ａは遮蔽板５３を支持するローラである。
【００５３】
このような動作は、図９（ｂ）のようにコイルスプリング５６とリンク５７とカム５８で駆動機構を構成しても同様である。図９（ｂ）では、先ず、遮蔽板５３の端部にリンク５７を軸止する。次に、リンク５７にコイルスプリング５６の一端部を接続する。コイルスプリング５６の他端部はフロントパネル４６に固定する。コイルスプリング５６でリンク５７の遮蔽板５３側の端部を引っ張る。更に、リンク５７の他端部にカム５８を当接させる。カム５８は図示しないモーターの回転軸に固定する。コイルスプリング５６が縮む方向にリンク５７を駆動すると、遮蔽板５３がコイルスプリング５６側に移動して遮蔽板５３の傾斜角度が小さくなり、可動ガイド板５２が固定ガイド板５１に当接し、空気は斜め方向の洗い場３Ｂ側にのみ送られる。コイルスプリング５６が延びる方向にリンク５７を駆動すると、遮蔽板５３がコイルスプリング５６から離れる方向に移動して遮蔽板５３の傾斜角度が大きくなり、可動ガイド板５２が固定ガイド板５１に離れて、空気は斜め方向の洗い場３Ｂと浴室天井８に沿って水平方向に送られる。
【００５４】
更に、図９（ｃ）ではフロントパネル４６の裏面側にモーター６０を取り付け、モーター６０の回転軸にレバー６１を固定し、レバー６１に長穴６２を形成し、長穴６２に遮蔽板５３に形成したガイドピン６４を挿入する。ガイドピン６４は長穴６２に沿って移動可能とする。レバー６１の先端部を図９（ｃ）の左側に移動するように、モーター６０を回転させると、ガイドピン６４がレバー６１に結合されているので、遮蔽板５３の傾斜角度が小さくなり、可動ガイド板５２が固定ガイド板５１に当接し、空気は斜め方向の洗い場３Ｂ側にのみ送られる。レバー６１の先端部が図９（ｃ）の右側に移動するように、モーター６０を回転させると、遮蔽板５３の傾斜角度が大きくなり、可動ガイド板５２が固定ガイド板５１に離れて、空気は斜め方向の洗い場３Ｂと浴室天井８に沿って水平方向に送られる。
【００５５】
図４（ｂ）（ｃ）及び図４（ｄ）（ｅ）はこの様子を示したものである。図４（ｂ）（ｃ）に示すように、リモートコントローラ１９のボタン操作によって、浴室乾燥機３０が「衣類乾燥」や「予備暖房」の運転モードの場合には、可動ガイド板５２が固定ガイド板５１に当接している。このため、吹出口４８から浴室１内に吹き出される空気は、洗い場３Ｂに向かって吹き出され、入浴者を暖めたり、浴室１の側壁間に設けられた乾燥用ポールに掛けられた衣類を乾燥させたりすることができる。
【００５６】
図４（ｄ）（ｅ）に示すように、リモートコントローラ１９のボタン操作によって、浴室乾燥機３０が「浴室乾燥」の運転モードになった場合には、可動ガイド板５２が固定ガイド板５１から離れている。これによって、吹出口４８から浴室１内に吹き出される空気は、洗い場３Ｂに向かって吹き出されると共に、浴室天井８に沿って水平に吹き出される。このため、入浴者を暖めたり、浴室天井８や浴室１の側壁を乾燥させたりすることができる。
【００５７】
図５の形状のフロントパネル４６でも同様であるので、図４（ｂ）（ｃ）の「衣類乾燥」「予備暖房」の説明、並びに図４（ｄ）（ｅ）の「浴室乾燥」の説明を援用する。
【００５８】
図１０は浴室乾燥機３０の運転モードにおける動作状態の一例を一覧表にしたものであり、図１１は図１０の運転モードにおける空気の流れ状態を示したものである。
【００５９】
例えば、「衣類乾燥」モードの場合、ヒータ、シロッコファンＦ１、Ｆ２は「ＯＮ」であり、ダンパー３７は脱衣室Ｒ１から空気を浴室乾燥機３０に導入するように切り換える。この場合、図１１（ａ）に示すように、シロッコファンＦ１により吸引されて、脱衣室Ｒ１からの空気は循環風路ＲＲを通過して吹出口４８から浴室１内部に吹き出され、浴室１に給気される。また、シロッコファンＦ２は吸込口３２から浴室１内の空気を吸い込んで排気口３４から建物外に排気する。
【００６０】
このとき、図４（ｂ）（ｃ）に示すように、可動ガイド板５２が固定ガイド板５１に当接するように切換機構のモーターを駆動する。このため、浴室１内に吹き出される空気は吹出口４８から吹き出されるときに、洗い場３Ｂ側に斜めに空気が吹き出され、衣類が乾燥する。
【００６１】
「浴室乾燥」モードの場合、ヒータは「ＯＦＦ」で発熱停止し、シロッコファンＦ１、Ｆ２は「ＯＮ」で回転し、ダンパー３７は脱衣室Ｒ１から空気を浴室乾燥機３０に導入するように切り換える。この場合、図１１（ｂ）に示すように、シロッコファンＦ１により吸引されて、脱衣室Ｒ１からの空気は循環風路ＲＲを通過して吹出口４８から浴室１内部に吹き出され、浴室１に給気される。また、シロッコファンＦ２は吸込口４７から浴室１内の空気を吸い込んで排気口３４から建物外に排気する。
【００６２】
このとき、図４（ｄ）（ｅ）に示すように、可動ガイド板５２が固定ガイド板５１から離れるように切換機構のモーターを駆動する。このため、浴室１内に吹き出される空気は吹出口４８から洗い場３Ｂ側と浴室天井８に平行に吹き出される。このため、洗い場３Ｂが乾燥すると共に、浴室天井８や浴室１の側壁面も乾燥する。
【００６３】
「涼風」モードの場合、ヒータは「ＯＦＦ」で発熱停止し、シロッコファンＦ１、Ｆ２は「ＯＮ」で回転し、ダンパー３７は脱衣室Ｒ１から空気を浴室乾燥機３０に導入するように切り換える。この場合、図１１（ｃ）に示すように、シロッコファンＦ１により吸引されて、脱衣室Ｒ１からの空気は循環風路ＲＲを通過して吹出口４８から浴室１内部に吹き出され、浴室１に給気される。また、シロッコファンＦ２は吸込口４７から浴室１内の空気を吸い込んで排気口３４から建物外に排気する。
【００６４】
このとき、図４（ｂ）（ｃ）に示すように、可動ガイド板５２が固定ガイド板５１に当接するように切換機構のモーターを駆動する。このため、浴室１内に吹き出される空気は吹出口４８から吹き出されるときに、洗い場３Ｂ側に斜めに空気が吹き出され、入浴者に涼しい風が送られる。
【００６５】
「予備暖房」モードの場合、ヒータは「ＯＮ」で発熱し、シロッコファンＦ１は「ＯＮ」、シロッコファンＦ２は「ＯＦＦ」である。ダンパー３７は浴室１側の吸込口４７から空気を導入するように切り換える。この場合、図１１（ｄ）に示すように、浴室１の空気は、シロッコファンＦ１により吸引されて吸込口４９から吸い込まれ、循環風路ＲＲを通過して吹出口４８から浴室１内部に吹き出され、浴室１に暖められて給気される。また、シロッコファンＦ２は停止している。
【００６６】
このとき、図４（ｂ）（ｃ）に示すように、可動ガイド板５２が固定ガイド板５１に当接するように切換機構のモーターを駆動する。このため、浴室１内に吹き出される空気は吹出口４８から吹き出されるときに、洗い場３Ｂ側に斜めに空気が吹き出され、予備暖房のための暖風が送られる。
【００６７】
「換気」モードの場合、ヒータはＯＦＦで停止し、シロッコファンＦ１は「ＯＦＦ」、シロッコファンＦ２は「ＯＮ」である。ダンパー３７は脱衣室Ｒ１及び浴室１側の吸込口４７から空気を導入するように切り換える。
【００６８】
この場合、図１１（ｅ）に示すように、シロッコファンＦ２により吸引されて、浴室１内部の空気は排気風路ＥＲを通過して排気口３４から排気される。
【００６９】
尚、ダンパー３７は図１１（ｆ）に示すように、予備暖房時は実線位置で、衣類乾燥時、涼風時、浴室乾燥時、暖房時は二点鎖線位置となっている。
【００７０】
以上説明したように、この実施の形態の浴室乾燥機２は、浴室１内の空気を吸い込む吸込口１１と、吸込口１１から吸い込んだ空気を浴室外へ排出する排気口５と、浴室１内に空気を吹き出す吹出口１２とを備えており、吸込口１１から吸い込んだ浴室１内の空気を排気口５から浴室外へ排気すると共に、吹出口１２から浴室１内に空気を吹き出して、浴室１内の床面若しくは壁面を乾燥させる浴室乾燥機であって、吹出口１２は、吸込口１１以外の浴室天井８に沿う方向、若しくは複数の方向に吹き出すように構成されているので、浴室天井８或いは浴室１の側壁や床面７等を乾燥させることができ、浴室天井８や壁面の結露を防止し、カビの発生を防止できる。
【００７１】
第２に、吹出口１２は、浴室天井８及び洗い場３Ｂの床面７に向けて吹き出すので、浴室天井８や洗い場３Ｂの床面７も乾燥できる。
【００７２】
第３に、吹出口１２には、浴室天井８に沿った方向と、浴室の洗い場３Ｂの床面７の方向とに組み合わせて吹き出すように、空気の吹出方向を切換可能な切換機構５０を備えているので、浴室内の所望の方向に空気を送ることで、所望の部位の乾燥を行うことができる。
【００７３】
第４に、浴室１内に吹き出す空気を加熱するヒータ（加熱手段）と、浴室１を暖める暖房モード、衣類を乾燥する衣類乾燥モード、浴室天井の乾燥を行う浴室乾燥モード等の運転モードを制御するリモートコントローラ１９（制御手段）とを備えているので、運転モードに応じてヒータやシロッコファンＦ１、Ｆ２を制御して、暖房や、衣類乾燥、或いは、浴室乾燥を自動的に制御できる。
【００７４】
第５に、リモートコントローラ１９は、運転モードに応じて切換機構を切換操作するので、運転モードに応じて加熱手段やシロッコファンＦ１、Ｆ２を制御して、暖房や、衣類乾燥の切換に応じて、浴室乾燥の実行や停止を自動的に制御できる。
【００７５】
第６に、リモートコントローラ１９の暖房モードにおいて洗い場３Ｂの床面に暖めた空気を吹き出し、浴室乾燥モードにおいては洗い場３Ｂ又は浴室天井８の少なくとも何れかに吹き出すように制御するので、暖房時に入浴者を暖めることでき、浴室乾燥時には浴室天井８に向かって空気を吹き出すことで乾燥を早めることができる。
【００７６】
第７に、循環吸込口４９のほかに、浴室１以外の脱衣室Ｒ１から空気を吸い込む他室吸込口３３を設け、他室吸込口３３から吸い込んだ空気を吹出口４８より浴室１内に吹き出すようにしたので、脱衣室Ｒ１より浴室１側の気圧が高くなり、浴室１の乾燥中に浴室１のドア３Ｄが開くことが防止される。
【００７７】
第８に他室吸込口３３から吹出口１２までの風路に開閉可能なダンパー３７（開閉手段）を設けたので、ダンパー３７（開閉手段）により他室吸込口３３から吸い込む空気を制御することで、浴室内と他室内から吸い込む風量配分を暖房、乾燥等の各運転モードに適したものにすることができ、浴室乾燥モードを含めた各運転モードを効率的に行える。また、暖房運転時に浴室内の湿った空気が他室に流れ込むことを制御できる。
【００７８】
第９に、他室吸込口３３から吹出口１２に給気する給気量と、吸込口１１から吸い込んだ空気を浴室外へ排出する排出量と、等量若しくは排出量が多くなる風量に設定したので、浴室１内への給気量より浴室１から浴室外に排出する排出量が多くなるように、風量を制御することで、浴室１内の湿った空気をより速く排気して、浴室のドア３Ｄを開けることなく、浴室１内を速やかに乾燥させることができる。浴室内の空気が他室に流れ込むことを防止できる。
【００７９】
実験によれば、図１、図２に記載の浴室乾燥機２によって、浴室天井８に沿って３方向並びに浴室壁面の乾燥を行った。この浴室乾燥実験の条件は、浴室内の空気の絶対湿度が脱衣室Ｒ１内の空気の絶対湿度と同じになった時を終了時点とした。その結果、従来までの洗い場３Ｂの床面７のみの吹き出しでは、乾燥時間が３．５時間であったのに対して、本件最良の形態の如く浴室天井８に沿って３方向吹出（吸い込み口方向以外）に吹き出すと、乾燥時間は３．０時間となり、約１５％以上も乾燥時間が短縮されるという実験結果を得ることが出来た。更に、図１４〜図１９の浴室乾燥機によれば、先の実験条件と同条件で、浴室乾燥時間が２．０時間となり、４３％も乾燥時間が短縮された。
【図面の簡単な説明】
【００８０】
【図１】（ａ）は本発明の最良の形態にかかる浴室の図、（ｂ）は浴室内側から見たフロントパネルの形状を示す図、（ｃ）は浴室乾燥機の構成を示す図。
【図２】（ａ）は本発明の図１と異なる形態にかかる浴室の図、（ｂ）は浴室内側から見たフロントパネルの形状を示す図、（ｃ）は浴室乾燥機の構成を示す図。
【図３】（ａ）は図１と更に異なるフロントパネルの浴室内側から見た形状を示す図、（ｂ）は２モーター２ファン方式の形態にかかる浴室乾燥機の構成を示す図。
【図４】（ａ）はフロントパネルの開口部の浴室内側から見た配置形状を示す図、（ｂ）乃至（ｅ）は浴室乾燥機及びモードに応じてフロントパネルから空気が吹き出される状態を示す図。
【図５】（ａ）は図４と異なる形状のフロントパネルの開口部の浴室内側から見た配置形状を示す図、（ｂ）乃至（ｅ）は浴室乾燥機及びモードに応じてフロントパネルから空気が吹き出される状態を示す図。
【図６】（ａ）は吹出口に装着される切換機構の遮蔽板の図、（ｂ）は切換機構の固定ガイド板の図、（ｃ）は切換機構の可動ガイド板の図。
【図７】（ａ）は可動ガイド板と固定ガイド板が当接して斜め方向にのみ空気が吹き出される状態を示す断面図、（ｂ）は可動ガイド板と固定ガイド板が当接して斜め方向にのみ空気が吹き出される状態を示す平面図。
【図８】（ａ）は可動ガイド板と固定ガイド板が離れて斜め方向と水平方向に空気が吹き出される状態を示す断面図、（ｂ）は可動ガイド板と固定ガイド板が離れて斜め方向と水平方向に空気が吹き出される状態を示す平面図。
【図９】（ａ）は切換機構の駆動機構をモーター及びラックアンドピニオンで構成した例を示す図、（ｂ）は切換機構の駆動機構をカムとリンクで構成した例を示す図、（ｃ）は切換機構の駆動機構をレバーで構成した例を示す図。
【図１０】浴室乾燥機の運転モードの相異によるヒータ、シロッコファン、ダンパー、給気方向を示す一覧表。
【図１１】（ａ）乃至（ｅ）は浴室乾燥機の運転モードの相異による空気の流れ方向を示す図、（ｆ）は予備暖房時のダンパーの状態を表した本体側面図。
【図１２】浴室乾燥機の一例を示す図。
【図１３】浴室への浴室乾燥機の配備状態及び制御手段であるリモートコントローラの配置状態を示す図。
【図１４】脱衣所側からも空気を吸引可能な浴室乾燥機の設置例を示す図。
【図１５】２モーター２ファン方式の浴室乾燥機の例を示す図１７のＡ−Ａ線断面図。
【図１６】２モーター２ファン方式の浴室乾燥機の例を示す図１７のＢ−Ｂ線断面図。
【図１７】２モーター２ファン方式の浴室乾燥機の平面図。
【図１８】２モーター２ファン方式の浴室乾燥機の側面図。
【図１９】２モーター２ファン方式の浴室乾燥機の底面図。
【符号の説明】
【００８１】
１  浴室
２  浴室乾燥機
３  浴槽
３Ａ  浴室の戸のガラリ
３Ｄ  浴室の戸
４  浴室乾燥機の吸込口
５  排気口
７  洗い場の床面
８  浴室天井
１０  フロントパネル
１１  フロントパネルの吸込口
１２  フロントパネルの吹出口
１３  ダンパー
１５  シロッコファン
【図１】
2005345068.tif 000003
【図２】
2005345068.tif 000004
【図３】
2005345068.tif 000005
【図４】
2005345068.tif 000006
【図５】
2005345068.tif 000007
【図６】
2005345068.tif 000008
【図７】
2005345068.tif 000009
【図８】
2005345068.tif 000010
【図９】
2005345068.tif 000011
【図１０】
2005345068.tif 000012
【図１１】
2005345068.tif 000013
【図１２】
2005345068.tif 000014
【図１３】
2005345068.tif 000015
【図１４】
2005345068.tif 000016
【図１５】
2005345068.tif 000017
【図１６】
2005345068.tif 000018
【図１７】
2005345068.tif 000019
【図１８】
2005345068.tif 000020
【図１９】
2005345068.tif 000021